(57)【特許請求の範囲】
【請求項１】
第１の筐体と第２の筐体とがヒンジ部を介して折り畳み自在に結合される電子機器であって、
少なくとも前記第１の筐体あるいは第２の筐体の何れかに設けられる金属板と、
前記金属板の一端から一体的に延設された突出部と、
前記突出部の先端に形成され、前記ヒンジ部内に埋設される立ち上がり部と、
前記突出部内に形成され、前記金属板を設けた筐体を形成する素材が充填される切り欠き部とを備えることを特徴とする折り畳み式電子機器。
【請求項２】
前記金属板から前記立ち上がり部に至る曲げ部にリブが形成されていることを特徴とする請求項１に記載の折り畳み式電子機器。
【請求項３】
前記突出部の側方がアンテナ配置領域であることを特徴とする請求項１又は２に記載の折り畳み式電子機器。
【発明の詳細な説明】
【技術分野】
【０００１】
本発明は、ヒンジ部を一体に有する折り畳み式電子機器に関する。
【背景技術】
【０００２】
携帯電話において、筐体の厚みを薄くすると、筐体の剛性確保が必要となり、その強度確保のため、樹脂のケースにステンレスなどの金属板をインサート成形したものがある（例えば特許文献１参照）。
そして、折り畳み式携帯電話において、ケースにヒンジフレームをインサート成形したものもある（特許文献２参照）。また、ケースに一体のヒンジ部にインサート金具をインサート成形したものもある（特許文献３参照）。
【特許文献１】特開２００６−５３５３２号公報
【特許文献２】特開２００２−５１１３２号公報
【特許文献３】特開２００７−１５９１６５号公報
【発明の開示】
【発明が解決しようとする課題】
【０００３】
しかし、ケースの強度向上とヒンジ部の強度向上を併せて図ると、例えば特許文献１のような金属板と、特許文献２のようなヒンジフレームや、特許文献３のようなインサート金具などの強度部品が２個必要となり、部品点数を抑えて製造を容易化するためには好ましくない。
【０００４】
本発明の課題は、第１の筐体と第２の筐体とがヒンジ部を介して折り畳み自在なもので、ヒンジ部を一体に有する筐体とヒンジ部の強度向上を合理的に実現することである。
【課題を解決するための手段】
【０００５】
以上の課題を解決するため、本出願に係る発明は、第１の筐体と第２の筐体とがヒンジ部を介して折り畳み自在に結合される電子機器であって、
少なくとも前記第１の筐体あるいは第２の筐体の何れかに設けられる金属板と、
前記金属板の一端から一体的に延設された突出部と、
前記突出部の先端に形成され、前記ヒンジ部内に埋設される立ち上がり部と、
前記突出部内に形成され、前記金属板を設けた筐体を形成する素材が充填される切り欠き部とを備えることを特徴とする。
【０００６】
前記金属板から前記立ち上がり部に至る曲げ部にリブが形成されていてもよい。
【０００８】
前記突出部の側方がアンテナ配置領域であってもよい。
【発明の効果】
【０００９】
本発明によれば、第１の筐体と第２の筐体とがヒンジ部を介して折り畳み自在なもので、ヒンジ部を一体に有する筐体とヒンジ部の強度向上を合理的に実現できる。
【発明を実施するための最良の形態】
【００１０】
以下、図を参照して本発明を実施するための最良の形態を詳細に説明する。
図１は本発明を適用した折り畳み式電子機器の一実施形態の構成として携帯電話を示したもので、１は第１の筐体、２は第２の筐体、３はヒンジ部である。
【００１１】
第１の筐体は表示画面による表示部１ａを有する表示部筐体１であり、第２の筐体は各種操作キーによる操作部２ａを有する操作部筐体２であり、これら表示部筐体１及び操作部筐体２はヒンジ部３を介して折り畳み自在に結合されている。このヒンジ部３は、図示例では、表示部筐体１の一端部に設けたヒンジボス４を、操作部筐体２の一端部に設けた左右一対のヒンジボス５間に、図示しないヒンジ軸を介して結合し装着することで、折り畳み状態から開放できるようになっており、更に、折り畳み状態から開放した状態において表示部筐体１を回転自在に構成されている。
【００１２】
図２は操作部筐体２の構成を分解して示すもので、この操作部筐体２は、上ケース６及び下ケース７により構成され、内部に回路基板８等が収納されている。実施形態では、上ケース６がインサート成形ケースであり、回路基板８の端部に地デジ対応アンテナ９が搭載されている。この地デジ対応アンテナ９は操作部筐体２の端部で左右一対のヒンジボス５間に内蔵されている。
【００１３】
図３はインサート成形ケースである上ケース６を反対側から見たもので、この上ケース６は樹脂からなるケースであって、その薄型化に伴い補強のため金属板、具体的にはステンレス板１１がインサート成形されている。このステンレス板１１はプレス加工による板金製で、図４のインサート成形ケースとの分解斜視図及び図５に示すように、上ケース６の各種操作キーによる操作部２ａに対応する開口を覆って補強するもので、その長手方向の一端側に左右一対の突出部１２を有するとともに、その突出部１２の先端に立ち上がり部１３を有している。この立ち上がり部１３は、突出部１２の先端にプレス加工による曲げ部を介して形成されている。
【００１４】
また、突出部１２は電波の送受信の性能を悪化させないため、後述するようなアンテナ領域を避けた形状となっている。更に、突出部１２には切欠き部１２ａが設けられており、上ケース６を形成する樹脂が切欠き部１２ａ内に充填されるようにインサート成形されるものである。このようにすることで突出部１２が落下時のショックなどにより折り曲がって塑性変形してしまうことを防止している。即ち、金属の剛性と樹脂の弾性とを組み合わせることで落下時のショックなどで塑性変形しないようにしている。なお、ステンレス板１１は。切欠き部１２ａを設けずに、その部分をプレスで凸形状、あるいは波板形状にしたりすることで補強するようにしてもよい。また、ステンレス板１１の厚みをあつくしたり、金属の材質をかえて突出部１２の強度を保てば必ずしも切欠き部１２ａは必要ない。
【００１５】
以上のステンレス板１１の立ち上がり部１３は、図６に示すように、上ケース６のヒンジボス５内にインサートされている。ここで、図５（ａ）に示すように、立ち上がり部１３を先端に有する左右一対の突出部１２の間は、前述した地デジ対応アンテナ９を配置するアンテナ領域Ａとなっている。
【００１６】
図７はステンレス板１１の曲げ加工部を含む端部を拡大して示したもので、突出部１２に曲げ部を介して立ち上がり部１３が連続するだけの直角に折り曲げた形状でも良いが、図７（ａ）に示すように、曲げ加工部１３ａを施した形状にすれば、その曲げ加工部１３ａにより補強して、曲げ部の強度を向上できる。また、図７（ｂ）に示すように、曲げ部にリブ１４を同時プレス加工して施した形状にすれば、その曲げ部をリブ１４により補強して、曲げ部の強度を向上できる。なお、図４では、曲げ部をリブ１４により補強したステンレス板１１を示している。
【００１７】
以上、実施形態の操作部筐体２の上ケース６の構造によれば、その上ケース６の各種操作キーによる操作部２ａに対応する開口を覆って補強するステンレス板１１に左右一対の立ち上がり部１３を形成して、この立ち上がり部１３をヒンジボス５にインサート成形したため、立ち上がり部１３を有するステンレス板１１によって、ヒンジボス５を一体に有する上ケース６とそのヒンジボス５の強度向上を合理的に実現できる。
【００１８】
また、ステンレス板１１を、各種操作キーによる操作部２ａ、回路基板８等のグランドとして使用でき、さらに、ステンレス板１１による電気的なシールド効果も期待できる。
【００１９】
そして、立ち上がり部１３を先端に有する左右一対の突出部１２の間を、地デジ対応アンテナ９を配置するアンテナ領域Ａとして有効利用できる。
【００２０】
（変形例１）
図８は変形例１を示したもので、前述した実施形態と同様、１は表示部筐体、１ａは表示部、２は操作部筐体、２ａは操作部、３はヒンジ部である。このヒンジ部３は、図示例では、表示部筐体１の両端部に設けたヒンジボス３４に、ヒンジ軸３３を装着し、操作部筐体２の中央部に設けたヒンジボス３５をヒンジ軸３３に装着した構成のものである。即ち、前述した実施形態のものでは操作部筐体２のヒンジボス５間にヒンジ軸を装着していたが、変形例１のものではヒンジ軸３３を表示部筐体１のヒンジボス３４間に装着するものである。
【００２１】
このように、ヒンジ軸３３を装着するヒンジボス３４を有する表示部筐体１に、図示しない金属板をインサート成形するようにしても良い。
また、前述した実施形態は、表示部筐体１と操作部筐体２が折り畳み自在及び回転自在に構成されているが、変形例１のものでは表示部筐体１が回転はしないものであるが、このようなものにインサート成形するようにしても良い。
【００２２】
（変形例２）
図９は変形例２として上ケース６の端部とステンレス板１１を分離して示したもので、上ケース６の端部中央にヒンジボス５が形成されて、ステンレス板１１の端部中央に突出部１２及び立ち上がり部１３が形成されている。この場合、表示部筐体１については図示しないが、その端部に左右一対のヒンジボス４が形成されている。
【００２３】
そして、立ち上がり部１３を先端に有する中央の突出部１２の両側は、図示のように、一側方が第１アンテナ領域Ａ１、他側方が第２アンテナ領域Ａ２となっている。
【００２４】
このように、端部中央にヒンジボス５を有する上ケース６に対応して、同じく端部中央に突出部１２及び立ち上がり部１３を有するステンレス板１１をインサート成形するようにしても良い。
【００２５】
（他の変形例）
なお、以上の実施形態においては、操作部筐体または表示部筐体に適用したが、両筐体に適用しても良い。
そして、実施形態では、携帯電話としたが、本発明はこれに限定されるものではなく、電卓、電子辞書、デジタルカメラ、ビデオカメラ、ＰＤＡ、ノートパソコン、ウェアラブルパソコンなどの折り畳み式電子機器すべてに用いることができる。
また、実施形態においては、ステンレス板としたが、他の金属板であっても良い。
また、ステンレス板をインサート成形するのに限らず、接着剤、接着テープなどによって上ケースに固定されたものであっても良い。
さらに、ステンレス板の形状や上ケースの形状及び材質等も任意であり、その他、具体的な細部構造等についても適宜に変更可能であることは勿論である。
【図面の簡単な説明】
【００２６】
【図１】本発明を適用した折り畳み式電子機器の一実施形態の構成を示すもので、携帯電話を縦方向に開いた状態を示した斜視図である。
【図２】図１の一方の筐体の構成を示す分解斜視図である。
【図３】図２のインサート成形ケースを反対側から見た斜視図である。
【図４】図３のインサート成形ケースとステンレス板の分解斜視図である。
【図５】図４のステンレス板の平面図（ａ）、側面図（ｂ）及び背面図（ｃ）である。
【図６】図３のインサート成形ケースの平面図（ａ）と、その矢印Ｂ-Ｂ線に沿った断面図（ｂ）と、その矢印Ｃで示したヒンジ部の拡大図（ｃ）である。
【図７】図４のステンレス板の曲げ加工部を含む端部の拡大図（ａ）と、さらにリブ加工を施した図（ｂ）である。
【図８】変形例１を示すもので、携帯電話を縦方向に開いた状態を示した概略側面図である。
【図９】変形例２を示すもので、ケース端部とステンレス板を分離して示した概略平面図である。
【符号の説明】
【００２７】
１  第１の筐体
２  第２の筐体
３  ヒンジ部
４  ヒンジボス
５  ヒンジボス
６  上ケース
１１  ステンレス板
１２  突出部
１３  立ち上がり部
１４  リブ
【図１】
0004892739.tif 000002
【図２】
0004892739.tif 000003
【図３】
0004892739.tif 000004
【図４】
0004892739.tif 000005
【図５】
0004892739.tif 000006
【図６】
0004892739.tif 000007
【図７】
0004892739.tif 000008
【図８】
0004892739.tif 000009
【図９】
0004892739.tif 000010